(57)【要約】【課題】建築物内と建築物外との換気を行うことができ、しかも、室外から異物が室内に侵入するのを防止することができ、更に平板瓦等を葺くための漆喰等が小屋裏などに落下することのない建築物用中空防水換気プレート及びこの建築物用中空防水換気プレートを使用した換気構造を提供する。【解決手段】本発明の建築物用中空防水換気プレートは、建築物の一部に取り付けられて建築物内と建築物外との換気を行う建築物用の中空防水換気プレートであって、該中空防水換気プレートは、断面が矩形或いは略矩形で一側と他側が連通している換気部材と、前記換気部材の上板部材をその一端側において延設した延設部とよりなることを特徴とする。【選択図】　　　　図１
2004092298.tif 000002
【特許請求の範囲】
【請求項１】
建築物の一部に取り付けられて建築物内と建築物外との換気を行う建築物用の中空防水換気プレートであって、該中空防水換気プレートは、断面が矩形或いは略矩形で一側と他側が連通している換気部材と、前記換気部材の上板部材をその一端側において延設した延設部とよりなることを特徴とする建築物用中空防水通気プレート。
【請求項２】
換気部材は、断面が矩形或いは略矩形で一側と他側が連通している中空基体と、該中空基体の断面形状に適合すべく変形し得る３次元繊維フィルターとからなり、少なくとも前記中空基体内の一部に、中空基体の一端と他端間を遮蔽するように、前記３次元繊維フィルターを充填したものである請求項１に記載の建築物用中空防水通気プレート。
【請求項３】
断面が矩形或いは略矩形で一側と他側が連通している換気部材と、前記換気部材の上板部材をその一端側において延設した延設部とよりなる中空防水換気プレートを、前記換気部材は建築物の屋根頂部を覆う瓦状部材付近のその下部を当接させると共に、前記延設部は前記瓦状部材を支持する棟部材に固定することにより、建築物の屋根頂部に取り付けてなることを特徴とする建築物用中空防水換気プレートを使用した換気構造。
【請求項４】
換気部材は、断面が矩形或いは略矩形で一側と他側が連通している中空基体と、該中空基体の断面形状に適合すべく変形し得る３次元繊維フィルターとからなり、少なくとも前記中空基体内の一部に、中空基体の一端と他端間を遮蔽するように、前記３次元繊維フィルターを充填したものである請求項２に記載の建築物用中空防水換気プレートを使用した換気構造。
【発明の詳細な説明】
【０００１】
【発明の属する技術分野】
この発明は、切り妻型屋根や寄棟などの建築物の一部、例えば棟等に取り付けられ、建築物内と建築物外との換気を行うために好適な建築物用中空防水通気プレート及び該建築物用中空防水換気プレートを使用した換気構造に関し、特に、小屋裏又は屋根通気層等の建築物内と建築物外との大量の換気が可能であり、しかも、外部から室内側に雨や雪、或いは埃、虫、鳥等の異物が侵入するのを防止することが可能な建築物用中空防水通気プレート及び該建築物用中空防水換気プレートを使用した換気構造に関するものである。
【０００２】
【従来の技術】
従来、一般家屋等の建築物においては、外壁と内壁との間に、ポリスチレンフォームやポリウレタンフォーム、或いはガラスファイバー等の断熱材を配置して室外と室内との断熱性を向上させ、暖房効率や冷房効率を高めるように構成されている場合が多い。そのため、上記一般家屋等の建築物では、居住空間で発生した湿気が小屋裏に侵入するために小屋裏の湿度が高くなりやすく、小屋裏の壁面などに結露や黴などが発生する虞れを有していた。
【０００３】
【発明が解決しようとする課題】
しかしながら、特に平板瓦等を葺いた切り妻型の屋根については、その建築物頂部を覆う冠瓦を支持する棟部材に、漆喰や葺き土と呼ばれる粘土等を塗布する必要があるが、これらの漆喰や粘土等が通気用の開口部を通して小屋裏に落下して小屋裏を汚損することを防ぎ、同時に小屋裏等の建築物内と建築物外との大量の換気が可能となるような換気装置は、現在までに提案されていない。
【０００４】
そこで、この発明は、上記従来技術の問題点を解決するためになされたものであり、その目的とするところは、小屋裏又は屋根通気層等の建築物内と建築物外との換気を良好に行うことができ、しかも、室外から雨や雪、埃、或いは虫などの異物が室内に侵入するのを確実に防止することができるのは勿論のこと、平板瓦等を使用した切り妻型の屋根などにも、容易且つ雨漏り等が生じる虞れなく施工することができ、更に平板瓦等を葺くための漆喰等が小屋裏などに落下するのを防止することが可能な建築物用中空防水換気プレート及びこの建築物用中空防水換気プレートを使用した換気構造を提供することにある。
【０００５】
【課題を解決するための手段】
即ち、この発明は、建築物の一部に取り付けられて建築物内と建築物外との換気を行う建築物用の中空防水換気プレートであって、該中空防水換気プレートは、断面が矩形或いは略矩形で一側と他側が連通している換気部材と、前記換気部材の上板部材をその一端側において延設した延設部とよりなることを特徴とする建築物用中空防水通気プレートである。
【０００６】
同様に、この発明は、断面が矩形或いは略矩形で一側と他側が連通している換気部材と、前記換気部材の上板部材をその一端側において延設した延設部とよりなる中空防水換気プレートを、前記換気部材は建築物の屋根頂部を覆う瓦状部材付近のその下部を当接させると共に、前記延設部は前記瓦状部材を支持する棟部材に固定することにより、建築物の屋根頂部に取り付けてなることを特徴とする建築物用中空防水換気プレートを使用した換気構造である。
【０００７】
尚、本発明の建築物用中空防水通気プレート又は該建築物用中空防水換気プレートを使用した換気構造において使用する換気部材は、断面が矩形或いは略矩形で一側と他側が連通している中空基体と、該中空基体の断面形状に適合すべく変形し得る３次元繊維フィルターとからなり、少なくとも前記中空基体内の一部に、中空基体の一端と他端間を遮蔽するように、前記３次元繊維フィルターを充填したものであってもよい。
【０００８】
尚、本発明では、結果的に、上板部材をその一端側において延設した延設部が設けられればよく、換気部材の上板部材と延設部とが一体的に形成されている必要はないのであって、別部材であっても良いことは勿論である。
【０００９】
【発明の実施の形態】
以下に、この発明の実施の形態について図面を参照して説明する。
【００１０】
図１乃至図３はこの発明の実施の形態に係る建築物用中空防水通気プレートを適用して、本発明の換気構造を形成した建築物としての、平板瓦を葺いた切り妻型の屋根を示す概略構成図である。
【００１１】
図２及び図３において、１は平板瓦を葺いた切り妻型の屋根を有する建築物としての家屋を示すものであり、この家屋１は、大別して、側壁２で囲まれた室内３の上部に、屋根４を葺いて構成されている。上記屋根４は、図１に示すように、棟５に配置された棟木６の両側に、垂木７を斜めに傾斜した状態で、一定の間隔で組み付けると共に、当該垂木７の上部を野地板８で覆い、野地板８の表面に平板瓦９を葺いて構成されている。尚、上記平板瓦９は、野地板８の表面に水平に打ち付けられた瓦固定用の角材９ａに固定されている。又、上記側壁２は、図３に示すように、外壁１０と内壁１１とを、所定の距離を隔てて対向するように立設して構成されており、当該外壁１０と内壁１１（又は断熱材）との間には、通気層１２が形成されている。又、上記通気層１２は、側壁２の床下近傍に設けられた通気口１３から、小屋裏１４まで連通している。
【００１２】
更に、上記屋根４の棟５の部分には、小屋裏１４から空気を外部に排気するための棟部通気口１５が、棟５に沿って所定の長さ設けられている。この棟部通気口１５は、図１に示すように、垂木７の上部を覆う野地板８の上端部を、屋根４の頂部より所定の長さだけ下方に配置し、両野地板８の上端部に隙間を形成することによって構成されている。
【００１３】
上記屋根４の頂部には、図１に示すように、棟部通気口１５の上方に、屋根４の棟５に沿って平行に垂木４０が配設されている。この垂木４０は、例えば、両側の野地板８の上部に立設された、断面が略逆Ｙ字形状の下部及び上底を省いた矩形状の上部よりなる金属製の脚部材４１上に固定するように取り付けられており、当該垂木４０と脚部材４１との取り付け部は、漆喰や葺き土と呼ばれる粘土等が塗布されて、十分な耐候性を有するように構成されている。
【００１４】
更に、上記垂木４０の上部には、棟部換気口１５を覆うように、冠瓦４２が配設されており、当該冠瓦４２と平板瓦９との間に、本発明の建築物用中空防水通気プレート１７がそれぞれ配置されている。尚、上記建築物用中空防水通気プレート１７は、平板瓦９を葺いた屋根用に開発・設計されたものであるが、当該建築物用中空防水通気プレート１７と基本的に同様の構成を有するものは、図３に示すように、屋根４の棟部５以外にも、屋根４の鼻隠し１８や側壁２の下部土台水切りなどに配設しても良いし、図３の側壁２の内部に配設しても良い。
【００１５】
ところで、この実施の形態に係る建築物用中空防水通気プレートは、建築物の一部に取り付けられて建築物内と建築物外との換気を行う建築物用の中空防水換気プレートであって、該中空防水換気プレートは、断面が矩形或いは略矩形で一側と他側が連通している換気部材と、前記換気部材の上板部材をその一端側において延設した延設部とよりなることを特徴とするものである。
【００１６】
そして、この実施の形態に係る、前記建築物用中空防水通気プレートを使用した換気構造は、断面が矩形或いは略矩形で一側と他側が連通している換気部材と、前記換気部材の上板部材をその一端側において延設した延設部とよりなる中空防水換気プレートを、前記換気部材は建築物の屋根頂部を覆う瓦状部材付近のその下部を当接させると共に、前記延設部は前記瓦状部材を支持する棟部材に固定することにより、建築物の屋根頂部に取り付けてなることを特徴とするものである。
【００１７】
すなわち、上記建築物用中空防水通気プレート１７は、図１に示すように、屋根４の両斜面の上端部に位置する平板瓦９上に、シール部材としてのコーキング材４３や、例えば幅２５ｍｍ×厚さ２０ｍｍ程度の発泡スポンジ等からなるパッキン４４を介して載置された状態で平板瓦９上に当設されている。上記平板瓦９上に建築物用中空防水通気プレート１７を施工するためのコーキング材４３やパッキン４４は、任意に組み合わせて使用すれば良いが、例えば、建築物用中空防水通気プレート１７の下面のうち、屋根４の下方に位置する側にパッキン４４を配置し、屋根４の上方に位置する側にコーキング材４３を配置するように構成しても良い。
【００１８】
その際、上記コーキング材４３は、例えば、建築物用中空防水通気プレート１７を施工するときに、平板瓦９の表面にコーキングマシンを用いて塗布されるがパッキン４４は、予め、両面テープ等によって建築物用中空防水通気プレート１７の裏面に接着しておいても良い。
【００１９】
又、上記建築物用中空防水通気プレート１７と冠瓦４２との間には、シール部材としての、例えば幅２５ｍｍ×厚さ２０ｍｍ程度の発泡スポンジ等からなるパッキン４５が配設されている。このパッキン４５も、予め、両面テープ等によって建築物用中空防水通気プレート１７の表面に接着しておいても良い。尚、冠瓦４２としては、その双方の傾斜部が形成する角度が、上記建築物用中空防水通気プレート１７を施工するための屋根の勾配と同一のもの或いは近似したものを採用することが、コーキング材４３やパッキン４４或いはパッキン４５の使用量を削減し、且つ、上記建築物用中空防水通気プレート１７の施工を確実にできるという点で好ましい。
【００２０】
更に、上記建築物用中空防水通気プレート１７は、図１に示すように、その上板１９（上板部材）が屋根４の上方に向けて長く延設されており、当該上板１９の延設部分１９ａの先端１９ｂは、屋根４の棟部５上方に、当該棟部５と平行に配設された垂木４０に釘４６止め等によって固定されるように構成されている。又、当該上板１９の延設部分１９ａは、実際の必要寸法より若干長く形成されると共に、施工現場において容易に切断することができるようになっていて、どのような施工現場においても、上記建築物用中空防水通気プレート１７の確実な取り付けを可能としている。同時に、当該上板１９の延設部分１９ａは、容易に折り曲げることができ、しかも折り曲げ後の形状を保持することができるような素材、例えばプラスチックダンボールにより形成されていて、現場での施工が更に容易に行えるようになっている。
【００２１】
その際、上記建築物用中空防水通気プレート１７の釘４６止め部などにも、漆喰や葺き土と呼ばれる粘土等が塗布されて、十分な耐候性を有するように構成されている。又更に、屋根４の頂部を覆う冠瓦４２同士の接続部なども、雨漏り等を確実に防止するように、漆喰や葺き土と呼ばれる粘土等が塗布される。その際、上記漆喰や葺き土と呼ばれる粘土等は、冠瓦４２と建築物用中空防水通気プレート１７との間に形成される空間をすべて充填するように塗布しても良いことは勿論である。
【００２２】
ところで、この実施の態様で上記建築物用中空防水通気プレート１７の主要部材として、断面が矩形或いは略矩形で一側と他側が連通している中空基体と、該中空基体の断面形状に適合すべく変形し得る３次元繊維フィルターとからなり、少なくとも前記中空基体内の一部に、中空基体の一端と他端間を遮蔽するように、前記３次元繊維フィルターを充填した換気部材を使用している。
【００２３】
上記換気部材を構成する中空基体２３は、図４に示すように、所定の間隔を介して対向するように配置した平板状の一対の上板１９及び下板２０と、左右の側板２１とよりなる横長で断面が矩形のものであり、この実施の形態では、中空基体２３の撓みを防止するために上板１９と下板２０との間に適宜数のリブ２２が形成されている。上記建築物用中空防水通気プレート１７を構成する中空基体２３は、図５に示すように、例えばポリプロピレン（ＰＰ）やアクリル等の合成樹脂によって、平板状の一対の上板１９と下板２０、左右の側板２１及びリブ２２とが、一体的に射出成形等によって形成されている。尚、耐火性その他の性能が要求される場合は、セラミック、アルミやスチール等によって中空基体２３を形成しても、一体的に射出成形等によって形成せずに、施工現場等で接着や溶接等の手段で中空基体を組み立ててもよく、又側面形状を台形（例えば、垂直方向から内側に向けて、例えば３０度傾斜した状態）に形成してもよい。
【００２４】
本発明の建築物用中空防水通気プレート１７の中空基体２３は、例えば、上板１９と下板２０との間隔が１５ｍｍに、リブ２２間の間隔が１５〜２１ｍｍにそれぞれ設定されており、全体として所定の幅（例えば５０ｍｍ程度）及び長さ（例えば１８２０ｍｍ程度）を有するように形成され、必要に応じて切り出して使用される。尚、上記上板１９と下板２０との間隔やリブ２２間の間隔等の数値は、一例であり、他の値に設定しても良いことは勿論である。
【００２５】
又、中空基体２３には、少なくともその内部の一部に、中空基体２３の一端と他端間を遮蔽するように３次元細繊維フィルター２５が充填されるが、このような構成は複数の手段によることができる。即ち、例えば前記中空基体２３がリブ２２を有しないものである場合は、平板状の一対の上板１９と下板２０、左右の側板２１によって形成される断面形状に則して形成或いは圧縮された３次元細繊維フィルター２５を充填すればよいのである。
【００２６】
上記の場合、３次元細繊維フィルター２５は、中空基体２３の一端と他端間を遮蔽するように充填されればよく、中空基体２３の一端と他端間全体に充填されても、一端と他他端間の一部に充填されてもよい。又、３次元細繊維フィルター２５は、中空基体２３内に単に充填されてもよく、中空基体２３の内側に溶着や接着等されてもよい。
【００２７】
又、例えば前記中空基体２３がリブ２２を有するものである場合は、図６に示すように、中空基体２３の上板１９と側壁２０及びリブ２２を所定の幅Ｗ（例えば、１５ｍｍ）だけ切り欠いた切欠部２４を、中空基体２３の連通方向と直交する方向に沿って設け、この切欠部２４に３次元細繊維フィルター２５を充填すれば良い。前記中空基体２３をポリプロピレン等の合成樹脂によって成形する場合は、予め切欠部２４には、上板１９やリブ２２等を設けないように構成しても勿論よい。
【００２８】
又、上記３次元細繊維フィルター２５は、中空基体２３に形成した切欠部２４の幅Ｗよりも若干幅広く切断したものを、該切欠部２４内に圧入して充填すれば、３次元細繊維フィルター２５の弾性により切欠部２４内に固定した状態で充填することができ、必要に応じ、切欠部２４内に溶着や接着等されてもよい。
【００２９】
更に、上記本発明の建築物用中空防水通気プレート１７の中空基体２３における上板１９には、図７に示すように、３次元細繊維フィルター２５が充填された切欠部２４の上部を覆うように、板状部材２６を配設してもよい。
【００３０】
いずれの場合も、上記３次元細繊維フィルター２５としては、例えば、溶融させた合成樹脂を、細いノズルから水中に曳糸することにより、図８に示すように合成樹脂製の糸状部材２７の一部が互いに接着されて、３次元の不織布状ふとんの綿状に形成された弾性変形が可能な素材で、例えば、旭化成（株）社製のサランロック（登録商標）が用いられる。この３次元細繊維フィルター２５は、例えば空間率が９５％程度、比表面積６００〜７４０ｍ２／ｍ３に設定されたものであるが、合成樹脂製の糸状部材２７の太さ（デニール）や嵩密度、或いは空間率を変更することにより、種々のものが製造可能であり、所望の特性を有するものが適宜選択され、使用される。尚、耐火性その他の性能が要求される場合は、セラミック、アルミやスチール等によって３次元細繊維フィルター２５を形成してもよい。
【００３１】
一方、この実施の形態では、図１に示すように、上記の如く構成される本発明の建築物用中空防水通気プレート１７が１層に積層されて使用されているが、当該建築物用中空防水通気プレート１７を図９に示すように２層以上で用いても勿論良い。
【００３２】
又、建築物用換気装置３４の複数を使用して、これを棟部全長に亙って連続的に設置する場合は、継ぎ目の防水性を確保するために建築物用換気装置３４の間に対してコーキング材等を充填することが好ましい。
【００３３】
尚、上記板状部材１９、２０等としては、例えば、特許第２６７７３１９号公報に開示されている吸排ガラリと呼ばれる、厚さ３ｍｍ程度の板状部材（川上産業株式会社製、商品名「プラパール」などが用いられる。
【００３４】
以上の構成において、この実施の形態に係る建築物用中空防水通気プレート１７（すなわち建築物用換気装置３４）では、次のようにして、小屋裏又は屋根通気層等の建築物内と建築物外との換気を良好に行うことができ、しかも、室外から雨や雪、埃、或いは虫などの異物が小屋裏又は屋根通気層等の建築物内に侵入するのを確実に防止することができるのは勿論のこと、平板瓦等を使用した切り妻型の屋根などにも、容易且つ雨漏り等が生じる虞れなく施工することができ、更に平板瓦等を葺くための漆喰等が小屋裏などに落下するのを防止することが可能となっている。
【００３５】
つまり、この実施の形態に係る建築物用中空防水通気プレート１７においてはその一側から他側へ通過するすべてのものは、３次元細繊維フィルター２５内を通過することになるが、この３次元細繊維フィルター２５が合成樹脂製又は細繊維の金属系の糸状部材を３次元的に絡み合わせて形成されているため、通過する空気に対してはほとんど抵抗にならず、雨雪や埃等の異物に対してのみ侵入防止効果を発揮するのである。
【００３６】
特に空気以外の異物が雨である場合は、３次元細繊維フィルター２５において雨水を保水することによる水膜が形成され、これにより雨水の侵入を効果的に防ぐことができる。
【００３７】
又、従来のこの種の建築物用換気装置３４が、濡れによる表面張力を応用して雨水の侵入を防止することを主眼としていたために、空気以外の異物が雪である場合はほとんどその侵入に対して無力であったが、本発明では３次元細繊維フィルター２５により雪の侵入も確実に防ぐことができる。
【００３８】
更に、３次元細繊維フィルター２５により侵入を防止された雨や雪或いは埃、虫などの異物は、建物外の風向きによって経時的に排出されたり、雨水の侵入洗浄が繰り返され或いは雪や日光が当たったり気温が上昇したりすることによって、乾燥或いは溶解するので、３次元細繊維フィルター２５が詰まることもない。
【００３９】
又、この実施の形態では、中空基体２３の上板１９を一端側を延設し、該中空基体２３の延設部分１９ａの先端１９ｂを、建築物の屋根４頂部を覆う冠瓦４２を支持する垂木４０に固定してなるので、平板瓦等に孔を開けて建築物用中空防水通気プレート１７を取り付ける必要がなく、当該平板瓦に開けられた孔を介して雨漏り等が生じる虞れがない。
【００４０】
更に、上記建築物用中空防水通気プレート１７の延設部分１９ａは、垂木４０と平板瓦９との間に亘って配設されるので、当該建築物用中空防水通気プレート１７と冠瓦４２との間に、及び建築物用中空防水通気プレート１７と平板瓦９との間を、パッキン４４、４５やコーキング材４３等からなるシール部材によってシールすれば、雨水が漏れたり、漆喰や葺き土と呼ばれる粘土等が、棟部通気口１５から落下するのを確実に防止することができるのである。
【００４１】
尚、上記実施の態様では、上記建築物用中空防水通気プレート１７の主要部材として、断面が矩形或いは略矩形で一側と他側が連通している中空基体と、該中空基体の断面形状に適合すべく変形し得る３次元繊維フィルターとからなり、少なくとも前記中空基体内の一部に、中空基体の一端と他端間を遮蔽するように、前記３次元繊維フィルターを充填した換気部材を使用しているが、本発明はこの態様に限定されるものではない。
【００４２】
即ち、本発明で建築物用中空防水通気プレート１７の主要部材として使用する換気部材には、例えば米国特許第３，９４９，６５７号明細書や特開平２−２７２１５３号公報に記載されているような、屋根の棟に取り付けられて室内から室外への二枚の板状の棟換気部材からなりその断面形状が略逆Ｖ字形を呈する如く構成され、各棟換気部材は上面から下面に向かって先細に形成されると共に、各棟換気部材には一側面から他側面まで多数の連通した通気孔が設けられるように構成した棟カバー部材を、適宜の寸法に加工し、その上部部材を適宜に延設して利用することができる。
【００４３】
更に、本発明で建築物用中空防水通気プレート１７の主要部材として使用する換気部材には、例えば特開平２０００−３４８１２号公報に記載されているような、相互に連通する貫通孔を備え、その貫通孔の形状が少なくとも１箇所の変曲点を有するように、円柱体を千鳥状に配設した吸排ガラリを適宜に積層したり、或いは、このような吸排ガラリとプラスチックダンボールを適宜に積層してなる吸排ブロックや、このような吸排ブロックを複数個連設した喚起部材を、その上部部材を適宜に延設して利用することもできる。
【００４４】
即ち、本発明で建築物用中空防水通気プレート１７の主要部材として使用する換気部材としては、断面が矩形或いは略矩形で一側と他側が連通しているものであればよいのである。
【００４５】
【発明の効果】
以上述べたように、この発明によれば、小屋裏又は屋根通気層等の建築物内と建築物外との換気を良好に行うことができ、しかも、室外から雨や雪、埃、或いは虫などの異物が室内に侵入するのを確実に防止することができるのは勿論のこと、平板瓦等を使用した切り妻型の屋根などにも、容易且つ雨漏り等が生じる虞れなく施工することができ、更に平板瓦等を葺くための漆喰等が小屋裏などに落下するのを防止することが可能な建築物用中空防水換気プレート及びこの建築物用中空防水換気プレートを使用した換気構造を提供することができる。
【図面の簡単な説明】
【図１】図１はこの発明の実施の形態に係る建築物用中空防水換気プレートを用いた家屋を示す断面構成図である。
【図２】図２はこの発明の実施の形態に係る建築物用中空防水換気プレートを用いた家屋を示す概観斜視図である。
【図３】図３はこの発明の実施の形態に係る建築物用中空防水換気プレートを用いた家屋を示す概略構成図である。
【図４】図４はこの発明の実施の形態に係る建築物用中空防水換気プレートの中空基体を示す斜視図である。
【図５】図５はこの発明の実施の形態に係る建築物用中空防水換気プレートの中空基体の基材を示す斜視図である。
【図６】図６はこの発明の実施の形態に係る中空基体の切欠部を示す斜視図である。
【図７】図７はこの発明の実施の形態に係る建築物用中空防水換気プレートの切欠部を示す斜視図である。
【図８】図８はフィルター部材を示す外観斜視図である。
【図９】図９はこの発明の実施の形態に係る建築物用中空防水換気プレートの他の例を示す断面図である。
【符号の説明】
４：屋根、１５：棟部通気口、１７：建築物用中空防水通気プレート、１９：上板、１９ａ：上板の延設部分、１９ｂ：延設部分の先端、２５：３次元細繊維フィルター、４０：垂木。
【図１】
2004092298.tif 000003
【図２】
2004092298.tif 000004
【図３】
2004092298.tif 000005
【図４】
2004092298.tif 000006
【図５】
2004092298.tif 000007
【図６】
2004092298.tif 000008
【図７】
2004092298.tif 000009
【図８】
2004092298.tif 000010
【図９】
2004092298.tif 000011